(57)【要約】【課題】構成の複雑化を招かずに、調光操作時の節度感を確保することができる照明調光装置を提供すること。【解決手段】所定の経路を移動する導通板３１により導通接続される第１導体４１及び第２導体５１と、これらの第１導体４１及び第２導体５１を介して給電される光源６１と、を備え、導通板３１の移動により第１導体４１に対する導通板３１の接触位置を変えると、光源６１への給電路の抵抗値が変化する照明調光装置１において、第１導体４１及び第２導体５１の導通板３１が摺接する部位は導電性金属板により形成され、且つ、第１導体４１及び第２導体５１の少なくとも一方には、導通板３１が摺接する摺接部に、導通板３１に凹凸嵌合して節度感を発生させる凹凸部が設けられた構成。【選択図】図３
2011198649.tif 000002
【特許請求の範囲】
【請求項１】
樹脂製ハウジングと、
所定の経路を移動可能に前記樹脂製ハウジングに組み付けられる導通板と、
移動する前記導通板の一端が摺接するように前記導通板の移動経路に沿って前記樹脂製ハウジングに固定装備される第１導体と、
移動する前記導通板の他端が摺接するように前記導通板の移動経路に沿って前記樹脂製ハウジングに固定装備され、前記導通板を介して前記第１導体に導通接続される第２導体と、
前記導通板により導通接続された第２導体及び第１導体を経て給電される光源と、
を備え、
前記導通板の移動により前記第１導体に対する前記導通板の接触位置を変えると、前記光源への給電路の抵抗値が変化して、前記光源に流れる電流が変化する照明調光装置であって、
前記第１導体は、前記導通板の移動経路に沿って間隔を開けて配置される複数個の導電性金属板と、隣接する導電性金属板間を接続する抵抗素子と、を備えると共に、各導電性金属板には、前記導通板の一端が摺接する摺接部を備え、
前記第２導体は、前記導通板の移動経路に沿って延在する単一の導電性金属板により形成され、
前記第１導体及び前記第２導体の少なくとも一方には、前記導通板が摺接する摺接部に、前記導通板に凹凸嵌合して節度感を発生させる凹凸部が設けられたことを特徴とする照明調光装置。
【請求項２】
前記凹凸部が、前記第１導体及び前記第２導体のそれぞれに装備されていることを特徴とする請求項１に記載の照明調光装置。
【請求項３】
前記第１導体及び第２導体を構成する各導電性金属板は、インサート成形により、前記樹脂製ハウジングに固定装備されることを特徴とする請求項１に記載の照明調光装置。
【発明の詳細な説明】
【技術分野】
【０００１】
本発明は、光源の光量を調整可能な照明調光装置に関する。
【背景技術】
【０００２】
図９は、車両に室内灯として搭載される照明調光装置の従来例を示したものである。
この照明調光装置１０１は、下記特許文献１に開示されたもので、不図示の筐体（ハウジング）と、前記筐体に回転自在に支持されるランプカバー１１１と、該ランプカバー１１１に取り付けられた導通板１２１と、導通板１２１と対向するように前記筐体に固定された第１導体１３１及び第２導体１４１と、光源１５１とを備えている。
【０００３】
ランプカバー１１１は、光源１５１の上方を覆うカバーと、調光操作のために回転させる操作部とを兼ねている。
【０００４】
導通板１２１は、ランプカバー１１１の下面側に固定装備されて、該ランプカバー１１１の回転により所定の経路（円弧状の経路）を移動する。
【０００５】
第１導体１３１は、移動する導通板１２１の一端１２２が摺接するように、導通板１２１の移動経路に沿って前記筐体に固定装備される。
【０００６】
第２導体１４１は、移動する導通板１２１の他端１２３が摺接するように導通板１２１の移動経路に沿って前記筐体に固定装備され、導通板１２１を介して第１導体１３１に導通接続される。
【０００７】
第２導体１４１自体は、第１導体１３１に対して所定の離間距離を持って延在するように、導通板１２１の移動経路に沿って設けられている。この第２導体１４１の一端部１４２は、不図示の電源の陽極に接続される。
【０００８】
光源１５１は、例えばＬＥＤ素子で、陽極（アノード）が第１導体１３１の一端部に接続され、陰極（カソード）が不図示の電源の陰極に接続される。
【０００９】
光源１５１の陽極は、導通板１２１を介して第１導体１３１に導通接続された第２導体１４１を介して不図示の電源の陽極に接続される。従って、光源１５１は、導通板１２１により導通接続された第２導体１４１及び第１導体１３１を経て給電される。
【００１０】
以上の照明調光装置１０１では、導通板１２１の移動により第１導体１３１に対する導通板１２１の接触位置を変えると、光源１５１への給電路の抵抗値が変化して、光源１５１に流れる電流が変化することで、光源１５１の光量が調整される。
【００１１】
この照明調光装置１０１の場合、第１導体１３１及び第２導体１４１は、プリント配線基板１６１上に印刷形成されたパターンである。
【先行技術文献】
【特許文献】
【００１２】
【特許文献１】特開２００６−３０２５１２号公報
【発明の概要】
【発明が解決しようとする課題】
【００１３】
ところが、特許文献１に記載された照明調光装置１０１は、第１導体１３１や第２導体１４１が、プリント配線基板１６１上に印刷形成されたパターンで、これらの導体上を摺動する導通板１２１に係合する凹凸等を設けることができない。
【００１４】
従って、ランプカバー１１１を回転操作したときに、導通板１２１と各導体１３１，１４１との摺動では、摺接位置の変化を示す節度感が得られない。節度感を付与するためには、別途、節度感を付与するための機構を装備しなければならず、節度感を付与する機構の追加装備のために、構成が繁雑化するという問題が生じる。
【００１５】
そこで、本発明の目的は、上記課題を解消することに係り、構成の複雑化を招かずに、調光操作時の節度感を確保することができる照明調光装置を提供することにある。
【課題を解決するための手段】
【００１６】
本発明の前述した目的は、下記の構成により達成される。
（１）樹脂製ハウジングと、
所定の経路を移動可能に前記樹脂製ハウジングに組み付けられる導通板と、
移動する前記導通板の一端が摺接するように前記導通板の移動経路に沿って前記樹脂製ハウジングに固定装備される第１導体と、
移動する前記導通板の他端が摺接するように前記導通板の移動経路に沿って前記樹脂製ハウジングに固定装備され、前記導通板を介して前記第１導体に導通接続される第２導体と、
前記導通板により導通接続された第２導体及び第１導体を経て給電される光源と、
を備え、
前記導通板の移動により前記第１導体に対する前記導通板の接触位置を変えると、前記光源への給電路の抵抗値が変化して、前記光源に流れる電流が変化する照明調光装置であって、
前記第１導体は、前記導通板の移動経路に沿って間隔を開けて配置される複数個の導電性金属板と、隣接する導電性金属板間を接続する抵抗素子と、を備えると共に、各導電性金属板には、前記導通板の一端が摺接する摺接部を備え、
前記第２導体は、前記導通板の移動経路に沿って延在する単一の導電性金属板により形成され、
前記第１導体及び前記第２導体の少なくとも一方には、前記導通板が摺接する摺接部に、前記導通板に凹凸嵌合して節度感を発生させる凹凸部が設けられたことを特徴とする照明調光装置。
【００１７】
（２）前記凹凸部が、前記第１導体及び前記第２導体のそれぞれに装備されていることを特徴とする上記（１）に記載の照明調光装置。
【００１８】
（３）前記第１導体及び第２導体を構成する各導電性金属板は、インサート成形により、前記樹脂製ハウジングに固定装備されることを特徴とする上記（１）に記載の照明調光装置。
【００１９】
上記（１）の構成によれば、第１導体や第２導体は、導通板が接触する部位が導電性金属板により形成されていて、例えば、導電性金属板をプレス成形等により形成することで、第１導体や第２導体には、これらの導体に摺接する導通板に凹凸嵌合する凹凸部を簡単に形成することができる。
【００２０】
そして、導通板を移動操作した際には、第１導体及び第２導体の少なくとも一方に設けられる凹凸部によって、節度感を付与することができるため、調光操作が明確になり、操作フィーリングを向上させることができる。
【００２１】
即ち、上記（１）の構成によれば、導通板と第１導体との摺動部、あるいは第２導体との摺動部で節度感が得られるため、節度感を付与する機構を別途に追加装備する必要がなくなり、節度感を付与する機構の追加装備による構成の複雑化を招かずに、調光操作時の節度感を確保することができる。
【００２２】
上記（２）の構成によれば、調光操作時に節度感を付与する凹凸部を、第１導体及び第２導体のそれぞれに装備したため、導通板と凹凸嵌合する部位が増えたことで、凹凸部の起伏を小さくしても、安定した節度感を付与することが可能になり、個々の凹凸部の起伏を小さく抑えることで、凹凸部の成形性を向上させることができる。
【００２３】
上記（３）の構成によれば、第１導体及び第２導体を構成する各導電性金属板が、インサート成形により、樹脂製ハウジングに一体形成されるため、組み立てが必要となる部品点数を低減させて、組立性を向上させることができる。
【発明の効果】
【００２４】
本発明による照明調光装置によれば、調光操作時には、導通板と第１導体との摺動部、あるいは第２導体との摺動部で節度感が得られるため、節度感を付与する機構を別途に追加装備する必要がなくなり、節度感を付与する機構の追加装備による構成の複雑化を招かずに、調光操作時の節度感を確保することができる。
【図面の簡単な説明】
【００２５】
【図１】本発明に係る照明調光装置の一実施形態の組立状態の斜視図である。
【図２】図１に示した照明調光装置の分解斜視図である。
【図３】図１に示した樹脂製ハウジング内における各部品配置を示す平面図である。
【図４】（ａ）は電源ＯＦＦ時における導通板と、第１導体及び第２導体との接触状態を示す平面図、（ｂ）は（ａ）の状態における光源と給電路との接続状態の説明図である。
【図５】（ａ）は電源ＯＮ時で、光量が最小となる調光状態における導通板と、第１導体及び第２導体との接触状態を示す平面図、（ｂ）は（ａ）の状態における光源と給電路との接続状態の説明図である。
【図６】図５のＡ−Ａ断面図である。
【図７】（ａ）は電源ＯＮ時で、光量が中位となる調光状態における導通板と、第１導体及び第２導体との接触状態を示す平面図、（ｂ）は（ａ）の状態における光源と給電路との接続状態の説明図である。
【図８】（ａ）は電源ＯＮ時で、光量が最大となる調光状態における導通板と、第１導体及び第２導体との接触状態を示す平面図、（ｂ）は（ａ）の状態における光源と給電路との接続状態の説明図である。
【図９】従来の照明調光装置の要部の分解斜視図である。
【発明を実施するための形態】
【００２６】
以下、本発明に係る照明調光装置の好適な実施形態について、図面を参照して詳細に説明する。
【００２７】
図１〜図３は本発明に係る照明調光装置の一実施形態を示したもので、図１は一実施形態の照明調光装置の組立状態の斜視図、図２は図１に示した照明調光装置の分解斜視図、図３は図１に示した樹脂製ハウジング内における各部品配置を示す平面図である。
【００２８】
この一実施形態の照明調光装置１は、車両の室内灯などに使用されるもので、樹脂製ハウジング１１と、該樹脂製ハウジング１１に回転可能に組み付けられるスイッチノブ２１と、該スイッチノブ２１に固定される導通板３１と、樹脂製ハウジング１１に固定装備される第１導体４１及び第２導体５１と、光源６１とを備えている。
【００２９】
樹脂製ハウジング１１は、スイッチノブ２１、第１導体４１、第２導体５１、光源６１等が組み付けられるハウジング本体１２と、ハウジング本体１２の上部に嵌合装着されてハウジング本体１２の上部を覆うカバー１３と、を備えている。
【００３０】
ハウジング本体１２には、スイッチノブ２１を回転可能に装着するノブ支持軸１４と、第１導体４１及び第２導体５１を組み付ける導体装着部１５や、導体装着部１５に装着された第１導体４１や第２導体５１等に外部の電源を接続する電源接続部１６が設けられている。
【００３１】
カバー１３には、ノブ支持軸１４に組み付けられたスイッチノブ２１の操作部２２を挿通させるノブ挿通孔１７と、樹脂製ハウジング１１側に組み付けられた光源６１の出射光を透過させる開口１８と、を備える。
開口１８には、光源６１の出射光の拡散等を調節するレンズ１９が組み付けられる。
【００３２】
スイッチノブ２１は、樹脂製ハウジング１１のノブ支持軸１４に回転可能に嵌合装着される。このスイッチノブ２１には、導通板３１を固定するための導通板取付け部２３が一体形成されている。
【００３３】
導通板３１は金属板で扇形に形成されており、所定の経路を移動可能に、スイッチノブ２１を介して樹脂製ハウジング１１に組み付けられる。更に詳しく説明すると、導通板３１は、スイッチノブ２１の導通板取付け部２３の下面に固定される。スイッチノブ２１に固定された導通板３１は、スイッチノブ２１の回転操作により、ハウジング本体１２上の所定の経路（円弧状の経路）を移動可能になっている。
【００３４】
本実施形態の場合、導通板３１は、スイッチノブ２１の回転操作時に、一端である外周縁３２が後述する第１導体４１に摺接する。また、導通板３１は、スイッチノブ２１の回転操作時に、他端である内周縁３３が後述する第２導体５１に摺接する。
【００３５】
本実施形態の場合、図３に示すように、導通板３１の外周縁３２には、第１導体４１との摺接時に節度感を得るための２つの窪み３５が設けられている。２つの窪み３５は、周方向に離間して設けられている。また、導通板３１の内周縁３３には、第２導体５１との摺接時に節度感を得るための２つの窪み３６が設けられている。２つの窪み３６は、周方向に離間して設けられている。
【００３６】
第１導体４１は、スイッチノブ２１の回転に伴って移動する導通板３１の外周縁３２が摺接するように、樹脂製ハウジング１１内での導通板３１の移動経路に沿って、ハウジング本体１２に固定装備される。
【００３７】
第１導体４１は、導通板３１の移動経路に沿って間隔を開けて配置される複数個の導電性金属板４２ａ，４２ｂ，４２ｃ，４２ｄと、隣接する導電性金属板間を接続する抵抗素子Ｒ１，Ｒ２，Ｒ３と、を備える。また、第１導体４１を構成する各導電性金属板４２ａ，４２ｂ，４２ｃ，４２ｄには、導通板３１の外周縁３２が摺接する摺接部４４を備えている。そして、各摺接部４４には、外周縁３２の窪み３５に凹凸嵌合することによって節度感を発生させる凹凸部として突起（インデント）４５が設けられている。
【００３８】
第２導体５１は、スイッチノブ２１の回転に伴って移動する導通板３１の内周縁３３が摺接するように、導通板３１の移動経路に沿ってハウジング本体１２に固定装備される。
第２導体５１は、導通板３１を介して、第１導体４１に導通接続される。
【００３９】
本実施形態の場合、第２導体５１は、導通板３１の移動経路に沿って延在する単一の導電性金属板により形成されている。
【００４０】
また、本実施形態の場合、第２導体５１の上面は、内周縁３３が摺接する摺接部５１ａである。摺接部５１ａには、導通板３１の内周縁３３の窪み３６に凹凸嵌合することによって節度感を発生させる凹凸部として突起（インデント）５５が設けられている
【００４１】
光源６１は、例えばＬＥＤ素子で、陽極（アノード）が第１導体４１の一端部に接続され、陰極（カソード）が不図示の電源の陰極に接続される。
【００４２】
光源６１の陽極は、導通板３１を介して第１導体４１に導通接続された第２導体５１を介して不図示の電源の陽極に接続される。従って、光源６１は、導通板３１により導通接続された第２導体５１及び第１導体４１を経て給電される。
【００４３】
本実施形態の照明調光装置１では、導通板３１の移動により第１導体４１に対する導通板３１の接触位置を変えると、光源６１への給電路の抵抗値が変化して、光源６１に流れる電流が変化することで、光源６１の光量が調整される。
【００４４】
また、本実施形態の照明調光装置１では、第１導体４１及び第２導体５１を構成する各導電性金属板は、インサート成形（インサートモールド）により、樹脂製ハウジング１１に固定装備される。
【００４５】
以上の照明調光装置１における調光動作を、図４〜図８に基づいて、説明する。
図４（ａ）は電源ＯＦＦ時における導通板と、第１導体及び第２導体との接触状態を示す平面図、図４（ｂ）は図４（ａ）の状態における光源と給電路との接続状態の説明図である。図５（ａ）は電源ＯＮ時で、光量が最小となる調光状態における導通板と、第１導体及び第２導体との接触状態を示す平面図、図５（ｂ）は図５（ａ）の状態における光源と給電路との接続状態の説明図、図６は図５のＡ−Ａ断面図である。
【００４６】
図７（ａ）は電源ＯＮ時で、光量が中位となる調光状態における導通板と、第１導体及び第２導体との接触状態を示す平面図、図７（ｂ）は図７（ａ）の状態における光源と給電路との接続状態の説明図である。
【００４７】
図８（ａ）は電源ＯＮ時で、光量が最大となる調光状態における導通板と、第１導体及び第２導体との接触状態を示す平面図、図８（ｂ）は図８（ａ）の状態における光源と給電路との接続状態の説明図である。
【００４８】
図４（ａ）では、スイッチノブ２１がＯＦＦ位置にある。この状態では、図示のように、導通板３１は第２導体５１の端部にのみ接触していて、第１導体４１には接触していない。従って、回路的には、図４（ｂ）に示すように、光源６１に接続されている第１導体４１は、電源の陽極に接続されている第２導体５１とは切断状態にあり、光源６１は点灯しない。
【００４９】
この状態では、導通板３１の内周縁３３に装備された窪み３６が、第２導体５１上の終端の突起５５に係合している。
【００５０】
図５（ａ）は、図４に示した状態からスイッチノブ２１が図中時計方向に回転操作されて、導通板３１の外周縁３２の窪み３５が、第１導体４１の一番端の導電性金属板４２ａにおける摺接部４４上の突起４５に嵌合した状態である。従って、回路的には、図５（ｂ）に示すように、光源６１に接続されている第１導体４１は、一番端の導電性金属板４２ａが導通板３１を介して第２導体５１に導通接続されており、光源６１は第１導体４１上の全ての抵抗Ｒ１，Ｒ２，Ｒ３が直列に接続された状態で給電を受ける。そのため、光源６１は、光量が最小となる調光状態で、点灯する。
【００５１】
なお、図４の状態から図５の状態に導通板３１が移動するとき、図６に示すように、導通板３１上の窪み３５，３６が、導通板３１の移動方向に位置している第１導体４１上の突起４５や第２導体５１上の突起５５に新たに嵌合することで、ユーザには、摺接位置が切り替わったことを示す節度感が得られる。
【００５２】
図７（ａ）は、図５に示した状態からスイッチノブ２１が更に図中時計方向に回転操作されて、導通板３１の外周縁３２の窪み３５が、第１導体４１の端から二番目の導電性金属板４２ｂにおける摺接部４４上の突起４５に嵌合した状態である。従って、回路的には、図７（ｂ）に示すように、光源６１に接続されている第１導体４１は、端から二番目の導電性金属板４２ｂが導通板３１を介して第２導体５１に導通接続されており、光源６１は第１導体４１上の抵抗Ｒ２，Ｒ３のみが直列に接続された状態で給電を受ける。そのため、光源６１は、光量が中位となる調光状態で、点灯する。
【００５３】
なお、図５の状態から図７の状態に導通板３１が移動するときも、導通板３１上の窪み３５，３６が、導通板３１の移動方向に位置している第１導体４１上の突起４５や第２導体５１上の突起５５に新たに嵌合することで、ユーザには、摺接位置が切り替わったことを示す節度感が得られる。
【００５４】
図８（ａ）は、図７に示した状態からスイッチノブ２１が更に図中時計方向に回転操作されて、導通板３１の外周縁３２の窪み３５が、第１導体４１の端から三番目の導電性金属板４２ｃにおける摺接部４４上の突起４５に嵌合した状態である。従って、回路的には、図８（ｂ）に示すように、光源６１に接続されている第１導体４１は、端から三番目の導電性金属板４２ｃが導通板３１を介して第２導体５１に導通接続されており、光源６１は第１導体４１上の抵抗Ｒ３のみが直列に接続された状態で給電を受ける。そのため、光源６１は、光量が最大となる調光状態で、点灯する。
【００５５】
なお、図７の状態から図８の状態に導通板３１が移動するときも、導通板３１上の窪み３５，３６が、導通板３１の移動方向に位置している第１導体４１上の突起４５や第２導体５１上の突起５５に新たに嵌合することで、ユーザには、摺接位置が切り替わったことを示す節度感が得られる。
【００５６】
なお、点灯状態から消灯状態にスイッチノブ２１を戻すときも、導通板３１上の窪み３５，３６が、導通板３１の移動方向に位置する新たな突起４５，５５に係合する度に、節度感が得られ、ユーザはスイッチノブ２１を戻す操作を実感することができる。
【００５７】
以上に説明した一実施形態の照明調光装置１の場合、第１導体４１や第２導体５１は、導通板３１が接触する部位が導電性金属板により形成されていて、例えば、導電性金属板をプレス成形等により形成することで、第１導体４１や第２導体５１には、これらの導体に摺接する導通板３１に凹凸嵌合する凹凸部である突起４５，５５を簡単に形成することができる。
【００５８】
そして、導通板３１を移動操作した際には、第１導体４１及び第２導体５１に設けられた突起４５，５５と導通板３１上の窪み３５，３６との嵌合によって、節度感を付与することができるため、調光操作が明確になり、操作フィーリングを向上させることができる。
【００５９】
即ち、以上に説明した一実施形態の照明調光装置１の場合、導通板３１と第１導体４１との摺動部、あるいは第２導体５１との摺動部で節度感が得られるため、節度感を付与する機構を別途に追加装備する必要がなくなり、節度感を付与する機構の追加装備による構成の複雑化を招かずに、調光操作時の節度感を確保することができる。
【００６０】
また、以上に説明した一実施形態の照明調光装置１の場合、調光操作時に節度感を付与する凹凸部を、第１導体４１及び第２導体５１のそれぞれに装備したため、導通板３１と凹凸嵌合する部位が増えたことで、凹凸部の起伏を小さくしても、安定した節度感を付与することが可能になり、個々の凹凸部の起伏を小さく抑えることで、凹凸部の成形性を向上させることができる。
【００６１】
また、以上に説明した一実施形態の照明調光装置１の場合、第１導体４１及び第２導体５１を構成する各導電性金属板が、インサート成形により、樹脂製ハウジング１１に一体形成されるため、組み立てが必要となる部品点数を低減させて、組立性を向上させることができる。
【００６２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６３】
例えば、導通板３１に凹凸嵌合して節度感を発生する凹凸部は、第１導体４１あるいは第２導体５１の何れか一方にのみ設けるようにしても良い。
【符号の説明】
【００６４】
１  照明調光装置
１１  樹脂製ハウジング
２１  スイッチノブ
３１  導通板
３５，３６  窪み
４１  第１導体
４２ａ，４２ｂ，４２ｃ，４２ｄ  導電性金属板
４４  摺接部
４５  突起（凹凸部）
５１  第２導体
５５  突起（凹凸部）
６１  光源
Ｒ１，Ｒ２，Ｒ３  抵抗素子
【図１】
2011198649.tif 000003
【図２】
2011198649.tif 000004
【図３】
2011198649.tif 000005
【図４】
2011198649.tif 000006
【図５】
2011198649.tif 000007
【図６】
2011198649.tif 000008
【図７】
2011198649.tif 000009
【図８】
2011198649.tif 000010
【図９】
2011198649.tif 000011